(57)【要約】【課題】鍋内に入れた調理物を設定した調理時間により調理する炊飯器において、調理の途中で調理物の出来具合を確認するための時間が経過したことを使用者に知らせることで、使用者の好みにあったおいしい調理物が調理できるようにし、使用者の使い勝手を向上する。【解決手段】炊飯器本体内に着脱自在に収納され調理物を入れる鍋１を加熱手段２により加熱し、調理時間を調理時間設定手段５により設定し、加熱手段２や報知動作を行う報知手段４を制御手段３により制御する。制御手段３は、調理開始後、あらかじめ設定されている調理物の出来具合を確認するための所定の時間が経過すると報知するように報知手段４を制御するよう構成する。【選択図】図１
2005334556.tif 000002
【特許請求の範囲】
【請求項１】
炊飯器本体内に着脱自在に収納され調理物を入れる鍋と、この鍋を加熱する加熱手段と、調理時間を設定する調理時間設定手段と、報知動作を行う報知手段と、前記加熱手段や前記報知手段を制御する制御手段とを備え、前記制御手段は、調理開始後、あらかじめ設定されている調理物の出来具合を確認するための所定の時間が経過すると報知するように前記報知手段を制御するよう構成した炊飯器。
【請求項２】
制御手段は、調理時間設定手段によって設定した時間に応じて、あらかじめ設定されている調理物の出来具合を確認するための時間を変更するようにした請求項１記載の炊飯器。
【請求項３】
調理物の出来具合を確認する時間を手動で設定できる確認時間設定手段を備え、制御手段は、あらかじめ設定されている調理物の出来具合を確認するための所定の時間を前記確認時間設定手段によって設定した時間に変更するようにした請求項１または２記載の炊飯器。
【請求項４】
調理物の出来具合を確認する回数を設定できる確認回数設定手段を備え、確認時間設定手段は、前記確認回数設定手段によって設定した回数分の確認時間を設定できるようにし、制御手段は、設定した各確認時間が経過すると報知するように報知手段を制御するようにした請求項３記載の炊飯器。
【請求項５】
確認時間設定手段により設定した時間を記憶する記憶手段を備え、制御手段は、前記記憶手段に記憶している時間を次回の調理時に調理物の出来具合を確認するための時間を設定するときの初期値とするようにした請求項３または４記載の炊飯器。
【発明の詳細な説明】
【技術分野】
【０００１】
本発明は、鍋内に入れた調理物を設定した調理時間により調理する炊飯器に関するものである。
【背景技術】
【０００２】
従来の炊飯器では、お粥のようなメニューの場合、使用者によって好まれる出来具合が異なるため、調理するときに自由に調理時間を設定することができるようにしているものがある（例えば、特許文献１参照）。
【０００３】
しかし、どのくらいの時間、調理すれば好みの出来具合になるのかは使用者の判断で行わなければならない。うまく使用者の好みの出来具合になるような時間を毎回設定できればよいが、室温や水温など調理の条件により最適な調理時間が変わるため、難しい。もし、設定した時間が短ければ、もう一度設定し直して、調理を続けるといった手間が発生してしまう。それを避けるためには、設定時間を少し長くしておけばよいが、その場合、調理の途中で調理物の状態を確認して、あとどれくらい調理すればよいか判断する必要がある。
【特許文献１】特公平７−１６４６７号公報
【発明の開示】
【発明が解決しようとする課題】
【０００４】
しかしながら、このような従来の炊飯器では、調理の間、使用者が他の作業をしていて確認を忘れてしまい、確認のタイミングを逃してしまうと、好みの出来具合に調整することができなくなってしまうなど使い勝手の面で問題があった。
【０００５】
本発明は前記従来の課題を解決するもので、調理の途中で調理物の出来具合を確認するための時間が経過したことを使用者に知らせることで、使用者の好みにあったおいしい調理物が調理できるようにし、使用者の使い勝手を向上することを目的としている。
【課題を解決するための手段】
【０００６】
本発明は上記目的を達成するために、炊飯器本体内に着脱自在に収納され調理物を入れる鍋を加熱手段により加熱し、調理時間を調理時間設定手段により設定し、加熱手段や報知動作を行う報知手段を制御手段により制御するよう構成し、制御手段は、調理開始後、あらかじめ設定されている調理物の出来具合を確認するための所定の時間が経過すると報知するように報知手段を制御するよう構成したものである。
【０００７】
これにより、使用者が手動で調理時間を設定して調理を行う場合において、使用者は調理物の出来具合を確認するための時間が経過したことを知ることができ、使用者の望む出来具合に調整しやすくなり、使用者の好みにあったおいしい調理物を調理することができ、使い勝手を向上することができる。
【発明の効果】
【０００８】
本発明の炊飯器は、使用者が手動で調理時間を設定して調理を行う場合において、使用者の望む出来具合に調整しやすくなり、使用者の好みにあったおいしい調理物を調理することができ、使用者の使い勝手を向上することができる。
【発明を実施するための最良の形態】
【０００９】
第１の発明は、炊飯器本体内に着脱自在に収納され調理物を入れる鍋と、この鍋を加熱する加熱手段と、調理時間を設定する調理時間設定手段と、報知動作を行う報知手段と、前記加熱手段や前記報知手段を制御する制御手段とを備え、前記制御手段は、調理開始後、あらかじめ設定されている調理物の出来具合を確認するための所定の時間が経過すると報知するように前記報知手段を制御するよう構成したものであり、使用者が手動で調理時間を設定して調理を行う場合において、使用者は調理の間、他の作業をしていても、調理物の出来具合を確認するための時間が経過したことを忘れずに知ることができるので、使用者の望む出来具合に調整しやすくなり、使用者の好みにあったおいしい調理物を調理することができ、使用者の使い勝手を向上することができる。
【００１０】
第２の発明は、上記第１の発明において、制御手段は、調理時間設定手段によって設定した時間に応じて、あらかじめ設定されている調理物の出来具合を確認するための時間を変更するようにしたものであり、使用者が手動で調理時間を設定して調理を行う場合において、使用者は調理の間、他の作業をしていても、設定した調理時間の長短に関わらず、調理の途中で調理物の出来具合を確認するのに適した時間を忘れずに知ることができるため、使用者の望む出来具合により調整しやすくなり、使用者の好みにあったおいしい調理物を調理することができ、使用者の使い勝手を向上することができる。
【００１１】
第３の発明は、上記第１または第２の発明において、調理物の出来具合を確認する時間を手動で設定できる確認時間設定手段を備え、制御手段は、あらかじめ設定されている調理物の出来具合を確認するための所定の時間を前記確認時間設定手段によって設定した時間に変更するようにしたものであり、使用者が手動で調理時間を設定して調理を行う場合において、使用者は調理の間、他の作業をしていても、使用者は自身の望む確認時間を忘れずに知ることができるので、使用者の望む出来具合により調整しやすくなり、使用者の好みにあったおいしい調理物を調理することができ、使用者の使い勝手を向上することができる。
【００１２】
第４の発明は、上記第３の発明において、調理物の出来具合を確認する回数を設定できる確認回数設定手段を備え、確認時間設定手段は、前記確認回数設定手段によって設定した回数分の確認時間を設定できるようにし、制御手段は、設定した各確認時間が経過すると報知するように報知手段を制御するようにしたものであり、使用者が手動で調理時間を設定して調理を行う場合において、使用者は調理の間、調理物の出来具合の確認タイミングや調味料を加えるタイミングなど複数の知りたい時間があっても、忘れずに知ることができるので、使用者の望む出来具合により調整しやすくなり、使用者の好みにあったおいしい調理物を調理することができ、使用者の使い勝手を向上することができる。
【００１３】
第５の発明は、上記第３または第４の発明において、確認時間設定手段により設定した時間を記憶する記憶手段を備え、制御手段は、前記記憶手段に記憶している時間を次回の調理時に調理物の出来具合を確認するための時間を設定するときの初期値とするようにしたものであり、使用者が手動で調理時間を設定して調理を行う場合において、使用者は調理を行うたびに自身の望む確認時間に変更するという煩わしさを解消することができ、使用者の望む出来具合に調整しやすくなり、使用者の好みにあったおいしい調理物を調理することができ、使用者の使い勝手を向上することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における炊飯器のブロック図であり、図２は、同炊飯器の表示操作部を示すものである。
【００１６】
図１に示すように、鍋１は、炊飯器本体（図示せず）内に着脱自在に収納して調理物を入れるもので、ステンレス、鉄などの磁性体によって形成している。加熱手段２である加熱コイルはインバータ１０により供給された高周波電流により交番磁界を発生し、この交番磁界で鍋１を誘導加熱する。
【００１７】
制御手段３は、マイクロコンピュータ９で構成しており、所定の調理シーケンスに基づいて、加熱手段２を制御して加熱出力を制御する。さらに報知手段４であるブザー（図示せず）を制御するものである。
【００１８】
調理時間設定手段５、確認時間設定手段６、確認回数設定手段７は、図２に示すように、それぞれ調理時間設定キー１１、確認時間設定キー１２、確認回数設定キー１３で構成し、お粥のように使用者の好まれる調理物の状態が異なるため、調理シーケンスが固定されてないようなメニューにおいて、調理時間の設定、調理物の出来具合を確認する時間の設定、調理物の出来具合を確認する回数の設定を行うものである。
【００１９】
メニューキー１４は、調理したいメニューを選択するものであり、スタートキー１５は調理スタートするものである。ＵＰキー１６、ＤＯＷＮキー１７は調理時間、確認時間、確認回数などを設定するものであり、ＬＣＤ１８は調理残時間、確認時間などを表示するものである。
【００２０】
記憶手段８は、マイクロコンピュータ９内のＲＡＭに相当し、確認時間設定手段６により設定した調理物の出来具合を確認するための時間を記憶しておくようにしている。
【００２１】
ここで、制御手段３は、調理開始後、あらかじめ設定されている調理物の出来具合を確認するための所定の時間が経過すると報知するように報知手段４を制御するよう構成し、調理時間設定手段５によって設定した時間に応じて、あらかじめ設定されている調理物の出来具合を確認するための時間を変更するようにしている。
【００２２】
上記構成において図２および図３を参照しながら動作、作用を説明する。まず、図３のステップＳ１でメニューキー１４により、調理したいメニューを選択し、ステップＳ２で選択したメニューがお粥であるかどうかを判定する。お粥でなければ、ステップＳ４へと進むが、もしお粥であれば、ステップＳ３で調理時間設定手段５である調理時間設定キー１１を押すことにより調理時間設定状態とし、ＵＰキー１６、ＤＯＷＮキー１７により調理時間の設定を行う。このとき、ＵＰキー１６を１回押す毎に＋３０分、ＤＯＷＮキー１７を１回押す毎に−３０分の設定ができるようにしている。
【００２３】
そして、このとき設定した調理時間を基に、調理物の出来具合を確認するための確認時間を設定する。本実施の形態では、この確認時間を調理時間−２０分で設定するものとする。よって、調理時間を６０分と設定すると、確認時間は４０分後ということになる。設定が完了するとステップＳ４へ進む。ステップＳ４ではスタートキー１５により調理スタートの要求があるかどうかを判定する。調理スタートの要求がなければ、ステップＳ１へ戻る。
【００２４】
調理スタートの要求があれば、ステップＳ５で各メニューの調理シーケンスに基づき、調理を開始する。そして、ステップＳ６で調理時間の減算を行う。このとき、図２に示すように、ＬＣＤ１８に調理残時間を表示する。ステップＳ７では、調理物の出来具合を確認するための確認時間の減算を行う。そして、ステップＳ８でその確認時間が０分になったかどうかの判定を行う。
【００２５】
０分になっていれば、ステップＳ９で調理物の出来具合の確認を促すためのブザー報知を行い、ステップＳ１０へ進む。０分になっていなければ、そのままステップＳ１０へと進む。ステップＳ１０では、調理時間が０分になったかどうかの判定を行う。０分になっていれば、調理終了を知らせるためのブザー報知を行い、調理を終了する。０分になっていなければ、ステップＳ５へと戻り、調理を継続する。
【００２６】
以上のように、本実施の形態においては、調理開始後、あらかじめ設定されている調理物の出来具合を確認するための所定の時間が経過すると報知するように報知手段４を制御することにより、使用者が手動で調理時間を設定して調理を行う場合において、使用者は調理の間、他の作業をしていても、調理物の出来具合を確認するための時間が経過したことを忘れずに知ることができるので、使用者の望む出来具合に調整しやすくなり、使用者の好みにあったおいしい調理物を調理することができ、使用者の使い勝手を向上することができる。
【００２７】
また、調理時間設定手段５によって設定した時間に応じて、あらかじめ設定されている調理物の出来具合を確認するための時間を変更するようにしたので、使用者が手動で調理時間を設定して調理を行う場合において、使用者は調理の間、他の作業をしていても、設定した調理時間の長短に関わらず、調理の途中で調理物の出来具合を確認するのに適した時間を忘れずに知ることができるため、使用者の望む出来具合により調整しやすくなり、使用者の好みにあったおいしい調理物を調理することができ、使用者の使い勝手を向上することができる。
【００２８】
なお、本実施の形態では、鍋１を加熱するのに加熱手段２として加熱コイルを用いたが、これはヒータやガス燃焼器具などを用いた加熱方式であってもよい。
【００２９】
また、本実施の形態では、調理時間の設定を行うメニューとしてお粥メニューを用いたが、これは蒸しやケーキなどのメニューでもよく、調理シーケンスが固定されてないようなメニューであれば何でもよい。
【００３０】
また、本実施の形態では、報知手段４としてブザーを用いたが、これは調理中に調理物の出来具合を確認するための時間が経過したことを報知して使用者に知らせることができる構成であれば何でもよい。
【００３１】
（実施の形態２）
図１に示す制御手段３は、あらかじめ設定されている調理物の出来具合を確認するための所定の時間を確認時間設定手段６によって設定した時間に変更するようにしている。他の構成は上記実施の形態１と同じである。
【００３２】
上記構成において図４および図５を参照しながら動作、作用を説明する。なお、図４のステップＳ１からステップＳ１０までの動作は、上記実施の形態１の動作と同じであるので説明を省略する。
【００３３】
図４のステップＳ３でお粥の調理時間の設定をした後、ステップＳ１１で確認時間設定手段６である確認時間設定キー１２を押すことにより確認時間設定状態とし、図５に示すように、ＵＰキー１６、ＤＯＷＮキー１７により調理物の出来具合を確認するための時間を設定する。そして、あらかじめ設定されている確認時間をこのとき設定した時間に変更する。このとき、確認時間の設定は、ＬＣＤ１８を見ながら設定するものとし、ＵＰキー１６を１回押す毎に＋１０分、ＤＯＷＮキーを１回押す毎に−１０分の設定ができるようにしている。
【００３４】
また、調理を開始すると、ＬＣＤ１８の表示は、上記実施の形態１と同様に、調理残時間に変わるが、調理中でも確認時間設定キー１２を押すことで、表示を確認時間に切り替えることができるようにしている。表示を調理残時間に戻したければ、調理時間設定キー１１を押せばよい。
【００３５】
以上のように、本実施の形態においては、あらかじめ設定されている調理物の出来具合を確認するための所定の時間を確認時間設定手段６によって設定した時間に変更することにより、使用者が手動で調理時間を設定して調理を行う場合において、使用者は調理の間、他の作業をしていても、使用者は自身の望む確認時間が経過したことを忘れずに知ることができるので、使用者の望む出来具合により調整しやすくなり、使用者の好みにあったおいしい調理物を調理することができ、使用者の使い勝手を向上することができる。
【００３６】
（実施の形態３）
図１に示す確認時間設定手段６は、確認回数設定手段７によって設定した回数分の確認時間を設定できるようにし、制御手段３は、設定した各確認時間が経過すると報知するように報知手段４を制御するようにしている。他の構成は上記実施の形態１または２と同じである。
【００３７】
上記構成において図６および図７を参照しながら動作、作用を説明する。なお、図６のステップＳ１からステップＳ１１までの動作は上記実施の形態２の動作と同じであるので説明を省略する。
【００３８】
図６のステップＳ３でお粥の調理時間の設定をした後、ステップＳ１２で確認回数設定手段７である確認回数設定キー１３を押すことにより確認回数設定状態とし、ＵＰキー１６、ＤＯＷＮキー１７により調理物の出来具合を確認する回数を設定する。このとき、確認回数の設定は、ＬＣＤ１８を見ながら設定するものとし、ＵＰキー１６を１回押す毎に＋１回、ＤＯＷＮキーを１回押す毎に−１回の設定ができるようにしている。
【００３９】
確認回数を設定すると、ステップＳ１１で確認時間の設定を行う。ここでは、設定した確認回数分の確認時間を設定する。例えば、図７（ａ）に示すように、ステップＳ１２で２回の確認回数を設定したとする。このとき、まず確認時間設定キー１２を押すことにより、図７（ｂ）に示すように、最初の確認時間の設定状態となる。そこで、ＵＰキー１６、ＤＯＷＮキー１７により、最初の確認時間を設定する。つぎにもう一度確認時間設定キー１２を押すことにより、図７（ｃ）に示すように、２回目の確認時間の設定状態となる。
【００４０】
そこで、先ほどと同様に、ＵＰキー１６、ＤＯＷＮキー１７により２回目の確認時間の設定を行う。ここで設定した確認時間はステップＳ７でそれぞれ減算され、ステップＳ８で各確認時間が０分になったか判定を行い、０分になっていれば、ステップＳ９でブザー報知を行う。
【００４１】
以上のように、本実施の形態においては、確認時間設定手段６は、確認回数設定手段７によって設定した回数分の確認時間を設定できるようにし、制御手段３は、設定した各確認時間が経過すると報知するように報知手段４を制御することにより、使用者が手動で調理時間を設定して調理を行う場合において、使用者は調理の間、調理物の出来具合の確認タイミングや調味料を加えるタイミングなど複数の知りたい時間があっても、忘れずに知ることができるので、使用者の望む出来具合により調整しやすくなり、使用者の好みにあったおいしい調理物を調理することができ、使用者の使い勝手を向上することができる。
【００４２】
（実施の形態４）
図１に示す制御手段３は、記憶手段８に記憶している時間を次回の調理時に調理物の出来具合を確認するための時間を設定するときの初期値とするようにしている。他の構成は上記実施の形態１〜３と同じである。
【００４３】
上記構成において図８を参照しながら動作、作用を説明する。なお、ステップＳ１からステップＳ１１までの動作は上記実施の形態２の動作と同じであるので説明を省略する。
【００４４】
ステップＳ４で調理スタートの要求があるかどうかを判定したとき、調理スタートの要求があれば、ステップＳ１４でステップＳ１１において確認時間設定手段６で設定した確認時間を記憶手段８に記憶する。そして、つぎにお粥を調理するとき、ステップＳ３で調理時間を設定した後、ステップＳ１３で記憶手段８に記憶している確認時間をステップＳ１１で確認時間を設定するときの初期値として設定する。
【００４５】
以上のように、本実施の形態においては、記憶手段８に記憶している時間を次回の調理時に調理物の出来具合を確認するための時間を設定するときの初期値とすることにより、使用者が手動で調理時間を設定して調理を行う場合において、使用者は調理を行うたびに自身の望む確認時間に変更するという煩わしさを解消することができ、使用者の望む出来具合に調整しやすくなり、使用者の好みにあったおいしい調理物を調理することができ、使用者の使い勝手を向上することができる。
【産業上の利用可能性】
【００４６】
以上のように、本発明にかかる炊飯器は、使用者が手動で調理時間を設定して調理を行う場合において、使用者の望む出来具合に調整しやすくなり、使用者の好みにあったおいしい調理物を調理することができ、使用者の使い勝手を向上することができるので、鍋内に入れた調理物を設定した調理時間により調理する炊飯器として有用である。
【図面の簡単な説明】
【００４７】
【図１】本発明の実施の形態１における炊飯器のブロック図
【図２】同炊飯器の表示操作部を示す図
【図３】同炊飯器の動作フローチャート
【図４】本発明の実施の形態２における炊飯器の動作フローチャート
【図５】同炊飯器の表示操作部を示す図
【図６】本発明の実施の形態３における炊飯器の動作フローチャート
【図７】（ａ）同炊飯器の表示操作部の確認回数設定時の状態を示す図（ｂ）同炊飯器の表示操作部の最初の確認時間設定時の状態を示す図（ｃ）同炊飯器の表示操作部の２回目の確認時間設定時の状態を示す図
【図８】本発明の実施の形態４における炊飯器の動作フローチャート
【符号の説明】
【００４８】
１  鍋
２  加熱手段
３  制御手段
４  報知手段
５  調理時間設定手段
【図１】
2005334556.tif 000003
【図２】
2005334556.tif 000004
【図３】
2005334556.tif 000005
【図４】
2005334556.tif 000006
【図５】
2005334556.tif 000007
【図６】
2005334556.tif 000008
【図７】
2005334556.tif 000009
【図８】
2005334556.tif 000010